(57)【特許請求の範囲】
【請求項１】
テープを巻回したリールからテープを引き出して供給するテープ供給装置において、テープの終端部に設けられる終端マークの長短及び有無に関わらず終端を検知するテープ終端検知方法であって、テープ残量を検知する工程と、テープ残量が第１の所定残量になるまでの間に終端マークの一端の検出を行う工程と、終端マークの一端を検出したときには、その後第１の所定の送り時間又は送り量以内の間に終端マークの他端の検出を行う工程と、終端マークの他端を検出したときには、直ちに若しくは第２の所定の送り時間又は送り量後に、終端マークの他端を検出しなかったときには、終端マークの一端を検出した後の第３の所定の送り時間又は送り量後に、終端マークの一端を検出しなかったときには、テープ残量が第１の所定残量になった後に、それぞれ終端検知通知を行う工程とを有することを特徴とするテープ終端検知方法。
【請求項２】
テープ残量を検知する工程は、所定長のテープを供給するときのリールの回転角度又は回転時間を検出する工程と、検出した回転角度又は回転時間からリールのテープ巻回径を検出する工程と、検出したテープ巻回径からテープ残量を検知する工程とを有することを特徴とする請求項１記載のテープ終端検知方法。
【請求項３】
検知したテープ残量が、第１の所定残量より大きくかつ終端マークの一端の配設位置の残量より大きい第２の所定残量になったとき、テープ交換事前通知を行うことを特徴とする請求項１又は２記載のテープ終端検知方法。
【請求項４】
テープを巻回したリールからテープを引き出して供給するテープ供給装置であって、リールのテープ残量を検知する残量検知手段と、テープの終端又は終端近傍に設けられた終端マークを検出する検出センサと、テープ残量が所定残量になるまでの間に終端マークの一端の検出を行い、終端マークの一端を検出したときには、その後第１の所定の送り時間又は送り量以内の間に終端マークの他端の検出を行い、終端マークの他端を検出したときには、直ちに若しくは第２の所定の送り時間又は送り量後に、終端マークの他端を検出しなかったときには、終端マークの一端を検出した後の第３の所定の送り時間又は送り量後に、終端マークの一端を検出しなかったときには、テープ残量が所定量になった後に、それぞれ終端検知通知を行う検知制御手段を備えたことを特徴とするテープ供給装置。
【請求項５】
リールのテープ残量を検知する手段は、テープの供給長さが所定長となるようにリールを回転する回転量制御手段と、所定長のテープを供給するときのリールの回転角度又は回転時間を検出する手段と、検出した回転角度又は回転時間からリールのテープ巻回径を検出する手段と、検出したテープ巻回径からテープ残量を検知する手段から成ることを特徴とする請求項４記載のテープ供給装置。
【請求項６】
検知制御手段は、検知したテープ残量が、終端マークの一端の配設位置の残量及び／あるいは第１の所定残量より大きい第２の所定残量になったとき、テープ交換事前通知を行うようにしたことを特徴とする請求項４又は５記載のテープ供給装置。
【発明の詳細な説明】
【技術分野】
【０００１】
本発明は、ＡＣＦ（異方性導電材フィルム）テープなどの粘着テープや圧着ツールの保護テープなど、リールに巻回された各種テープの終端を検知するテープ終端検知方法及びテープ供給装置に関するものである。
【背景技術】
【０００２】
液晶パネルやＰＤＰ（Plasma Display Panel）に代表されるディスプレイパネルなどの基板に部品を実装する方法として、基板にＡＣＦテープなどの粘着テープを貼り付けた後、その支持テープを剥離して基板にＡＣＦなどの粘着材層を設け、その粘着材層の上に、例えばＴＣＰ（Tape Carrier Package）、ＩＣ、薄型ＬＳＩパッケージ部品等の部品を仮圧着した後、仮圧着よりも高い熱と圧力を加えて本圧着することで、基板に部品を実装する方法が知られており、その部品実装方法では、基板に粘着テープを貼り付ける粘着テープ貼付装置が使用されている。
【０００３】
粘着テープ貼付装置としては、テープ供給装置にてリールに巻回された粘着テープを引き出して供給し、圧着装置の手前で粘着テープの粘着材層のみを所定の長さに切断した後粘着テープを圧着ツールと受け台上に載置された基板の間に送り、圧着ツールにて粘着テープを押圧して所定長さに切断された粘着材層を基板に貼り付け、その後支持テープを貼り付けた粘着材層から剥離して支持テープを回収するとともに、次の粘着テープの供給を行うという動作を繰り返すように構成したものが知られている（例えば、特許文献１参照）。
【０００４】
この特許文献１では、図１１（ａ）に示すように、使用中の粘着テープ１０２の終端を検知できるように、リール１０１に巻回された粘着テープ１０２の終端から所定長さの位置に終端マーク１０３を設け、図１１（ｂ）に示すように、その終端マーク１０３の一端を検出センサ（図示せず）で検知すると、粘着テープ１０２の終端を制御部に通知し、新たなリール１０１に交換することを指令するように構成されている。なお、特許文献１では、終端マーク１０３より終端側はダミーテープ１０２ａが接続され、そのダミーテープの長さを、終端マーク１０３検知後に、１つの基板に対する圧着動作を完了できる長さ以上に設定し、圧着動作の途中で中断することがないようにされている。
【０００５】
また、熱溶着が容易でかつセンサで容易に検知することができる接続テープを、粘着テープの始端と終端の両端に接着テープにて接続しておき、使用中の粘着テープの終端の接続テープをセンサにて検知すると、使用中の粘着テープの終端の接続テープと新たなリールの粘着テープの始端の接続テープとを熱溶着して両テープを接続する方法が知られている（例えば、特許文献２参照）。この特許文献２では、接続テープの全長が終端マークとして機能する。
【特許文献１】特開平７−２７０７４２号公報
【特許文献２】特開２００５−３３６４４７号公報
【発明の開示】
【発明が解決しようとする課題】
【０００６】
ところで、近年はリールに巻回されて供給される粘着テープのコスト低下を図るために、上記特許文献１や特許文献２に記載のように粘着テープの終端部に粘着テープとは別のダミーテープや接続テープを接続した複雑な構成とせずに、単純にリールに粘着テープを巻回しただけのものが使用されることが多く、そのため終端マークを設けていないものや、終端マークを設けたものにおいても、粘着テープの終端から適当長さの位置に短寸（例えば６０ｍｍ）の終端マークを設けたものや、粘着テープの終端から適当長さの位置まで連続する終端マークを設けたものが混在して流通するようになっている。
【０００７】
しかるに、粘着テープの終端を的確に検知できないと、圧着工程が途中で中断することがないように、粘着テープが無くなる前に十分な余裕のテープ残量でリールを交換したり、粘着テープの終端と新たなリールの粘着テープの始端とを自動的に接続したりして、生産性の良い圧着工程を実現することができないことになる。そのため、上記のように終端マークが設けられていないものや、設けられていても終端マークの長短が著しく異なっている何れの粘着テープが巻回されたリールを使用した場合でも、粘着テープの終端を的確に検知できるようにすることが要請されるようになっている。そうでないと、使用できる粘着テープが限定されてしまって汎用性がなく、極めて使い勝手が悪い粘着テープ貼付装置になってしまうためである。
【０００８】
ところが、粘着テープに終端マークが設けられていない場合に終端を的確に検知する構成については知られていない。また、粘着テープの終端部に設けられた終端マークを検出センサで検出するようにしている場合でも、近年は狭幅のＩＣを接合することが多々あり、そのような場合には使用される粘着テープの幅が約１ｍｍ程度と狭いために確実に検出することができないことがあるという問題もあった。なお、設けられた終端マークを的確に検出できる場合には、一般に終端位置の検出精度が高いためにその検出に基づいた方が好ましい。
【０００９】
本発明は、上記従来の問題に鑑み、リールに巻回されたテープの終端部に設けられる終端マークの長短及び有無に関わらず終端を的確に検知することができるテープ終端検知方法及びテープ供給装置を提供することを目的とする。
【課題を解決するための手段】
【００１０】
本発明のテープ終端検知方法は、テープを巻回したリールからテープを引き出して供給するテープ供給装置において、テープの終端部に設けられる終端マークの長短及び有無に関わらず終端を検知するテープ終端検知方法であって、テープ残量を検知する工程と、テープ残量が第１の所定残量になるまでの間に終端マークの一端の検出を行う工程と、終端マークの一端を検出したときには、その後第１の所定の送り時間又は送り量以内の間に終端マークの他端の検出を行う工程と、終端マークの他端を検出したときには、直ちに若しくは第２の所定の送り時間又は送り量後に、終端マークの他端を検出しなかったときには、終端マークの一端を検出した後の第３の所定の送り時間又は送り量後に、終端マークの一端を検出しなかったときには、テープ残量が第１の所定残量になった後に、それぞれ終端検知通知を行う工程とを有するものである。
【００１１】
この構成によれば、テープの終端部に短い終端マークが設けられている場合は、その一端を検出した後他端を検出すると、直ちに若しくは第２の所定の送り時間又は送り量後に終端検知通知を行い、終端まで連続する終端マークが設けられている場合は、終端マークの一端を検出した後第３の所定の送り時間又は送り量後に終端検知通知を行い、終端マークが設けられていない場合は、検知しているテープ残量が第１の所定残量になった後終端検知通知を行うので、テープの終端部に設けられる終端マークの長短及び有無に関わらず終端を的確に検知して通知することができる。
【００１２】
また、テープ残量を検知する工程が、所定長のテープを供給するときのリールの回転角度又は回転時間を検出する工程と、検出した回転角度又は回転時間からリールのテープ巻回径を検出する工程と、検出したテープ巻回径からテープ残量を検知する工程とを有すると、所定長のテープ供給長さに対してテープ巻回径に応じてリールの回転角度又は回転時間が変化することから、テープ供給時のリールの回転角度又は回転時間を検出することでテープ巻回径を求めることができ、そのテープ巻回径からがテープ残量を推定若しくは演算によって検知することができ、テープに終端マークが設けられていなくてもテープ残量を確実に検知することができる。
【００１３】
また、検知したテープ残量が、第１の所定残量より大きく及び／あるいは終端マークの一端の配設位置の残量より大きい第２の所定残量になったとき、テープ交換事前通知を行うようにすると、テープ終端に到達する前に、事前通知がなされるので、予め交換すべきリールを準備しておくことができて、終端通知を受けると直ちに作業効率良くリール交換して新たなテープを接続することができる。
【００１４】
また、本発明のテープ供給装置は、テープを巻回したリールからテープを引き出して供給するテープ供給装置であって、リールのテープ残量を検知する残量検知手段と、テープの終端又は終端近傍に設けられた終端マークを検出する検出センサと、テープ残量が所定残量になるまでの間に終端マークの一端の検出を行い、終端マークの一端を検出したときには、その後第１の所定の送り時間又は送り量以内の間に終端マークの他端の検出を行い、終端マークの他端を検出したときには、直ちに若しくは第２の所定の送り時間又は送り量後に、終端マークの他端を検出しなかったときには、終端マークの一端を検出した後の第３の所定の送り時間又は送り量後に、終端マークの一端を検出しなかったときには、テープ残量が所定量になった後に、それぞれ終端検知通知を行う検知制御手段を備えたものである。
【００１５】
この構成によれば、残量検知手段にてテープ残量を検知し、検出センサにて終端マークの一端と他端を検出し、検知制御手段にて上記テープ終端検知方法を実施することで、上記のようにテープの終端部に設けられる終端マークの長短及び有無に関わらず終端を的確に検知して通知することができる。
【００１６】
また、リールのテープ残量を検知する手段は、テープの供給長さが所定長となるようにリールを回転する回転量制御手段と、所定長のテープを供給するときのリールの回転角度又は回転時間を検出する手段と、検出した回転角度又は回転時間からリールのテープ巻回径を検出する手段と、検出したテープ巻回径からテープ残量を検知する手段から成ると、リールに巻回された粘着テープの終端部に終端マーク等が設けられていなくても、上記のようにリールのテープ巻回径に基づいてテープの残量を確実に検知することができる。
【００１７】
また、検知制御手段を、検知したテープ残量が、終端マークの一端の配設位置の残量及び／あるいは第１の所定残量より大きい第２の所定残量になったとき、テープ交換事前通知を行うようにすると、テープ終端に到達する前に事前通知がなされることで、上記のように作業効率良くリール交換して新たなテープを接続することができる。
【発明の効果】
【００１８】
本発明のテープ終端検知方法及びテープ供給装置によれば、テープの終端部に設けられる終端マークの長短及び有無に関わらず終端を的確に検知して通知することができるので、テープが無くなる前にリールを交換したり、テープの終端と新たなリールのテープの始端とを自動的に接続したりすることができ、任意のテープを使用しながらテープを供給して行う作業工程を途中で中断させる恐れなくテープを供給すること等が安定して可能となる。
【発明を実施するための最良の形態】
【００１９】
以下、本発明を、液晶表示パネルのガラス基板などの基板に、異方性導電材などの粘着材層を有する粘着テープを貼り付ける粘着テープ貼付装置に適用した一実施形態について、図１〜図１０を参照して説明する。
【００２０】
図１において、本実施形態の粘着テープ貼付装置１は、基板２を支持して移動及び位置決めする位置決め装置３と、基板２の側端部を下方から支持する下受け台４と、貼り付けるべき粘着テープ５を上方から押圧して基板２に貼り付ける圧着装置６と、粘着テープ５を供給するテープ供給装置７と、基板２に貼付けられた粘着テープ５の粘着材層からその支持テープを剥離する剥離装置８と、剥離された粘着テープ５の支持テープを回収するテープ回収装置９にて構成されている。１０は、粘着テープ貼付装置１の搬入位置に搬入された基板２を位置決め装置３に移載する移載装置である。
【００２１】
圧着装置６は、図２に示すように、下方に配置された下受け部４と対向する圧着面１１ａを下面に有し、粘着テープ５の貼付動作を行う圧着ヘッド１１と、この圧着ヘッド１１を昇降駆動するシリンダ装置などのヘッド昇降装置１２を備えている。圧着ヘッド１１には、図示しない加熱手段が内蔵されており、圧着ヘッド１１の圧着面１１ａを所定温度に加熱することが可能となっている。
【００２２】
テープ供給装置７は、粘着テープ５が巻回されたリール１３と、リール１３から供給される粘着テープ５を案内する複数のガイドローラ１４ａ、１４ｂ、１４ｃと、間隔をあけて並列配置された一対のガイドローラ１４ａ、１４ｂ間でこれらローラに対して遠近方向に移動自在にかつ遠ざかる方向に移動付勢されたテンションローラ１５と、粘着テープ５における支持テープの片面に一連に設けられた粘着材層に対し、基板２における粘着材貼付領域の大きさに応じた長さ毎に切り込みを入れるカッター１６と、粘着テープ５の終端と新たに装着したリール１３から引き出した粘着テープ５の始端とを、熱溶着や超音波接合等にて接続するテープ接続装置１７とを備えている。
【００２３】
また、粘着テープ５の終端部に終端マーク３３（図６参照）が設けられている場合に、終端マーク３３の一端と他端を検出信号の「立ち上がり」と「立ち上がり」で検出する検出センサ３２が、カッター１６の上部位置に配設されている。
【００２４】
剥離装置８は、下受け台４と圧着ヘッド１１の圧着面１１ａとの間をその長手方向に往復移動可能な移動体１８と、移動体１８の移動に伴って基板２に圧着された粘着テープ５の上面に沿って転動しながら移動するテープ押さえローラ１９ａと、押さえローラ１９ａの斜め上方に配置され、粘着テープ５の支持テープを外周の一部に巻回させて移動体１８の移動に伴って支持テープを剥離するテープ剥離ローラ１９ｂと、移動体１８に設けられて所要時に剥離された支持テープを把持固定し、基板２への粘着テープ５の粘着剤層の貼り付け長さに応じて粘着テープ５をフィードするチャック２０にて構成されている。
【００２５】
テープ回収装置９は、剥離された支持テープを上向きにガイドするガイドローラ２１と、支持テープを把持固定するチャック２２と、支持テープを吸引回収する回収手段２３にて構成されている。
【００２６】
以上の全体構成の粘着テープ貼付装置１において、本実施形態では、図３、図４に示すように、テープ供給装置７で、リール１３に巻回された粘着テープ５の残量と終端を検知して通知するように構成されている。すなわち、テンションローラ１５が原点（ＯＲＧ）位置に位置したことを検出する原点センサ２４と、上限位置と下限位置に位置したことを検出する上限センサ２５ａ及び下限センサ２５ｂが設けられ、また粘着テープ５を供給するようにリール１３を回転駆動するモータ２６が設けられるとともに、このモータ２６の回転角度を検出するエンコーダ２７が設けられている。エンコーダ２７は、スリットを有する回転板２７ａとスリットを検出するセンサ２７ｂにて構成されている。尚、図３、図４では、リール１３の回転角度又は回転時間を検出する手段のエンコーダ２７は、モータ２６と別体で構成されているが、モータの回転位置検出手段であるロータリーエンコーダが内蔵されたパルスモータやサーボモータなど、モータとエンコーダが一体で構成されたものであってもよい。また、エンコーダ２７は、モータ２６やリール１３の回転軸のほかに、粘着テープ５の走行経路上に設けても良い。好ましくは、テンションローラ１５とリール１３の間、若しくはリール１３の回転軸に設けることにより、粘着テープ５の走行上の負荷が少ない状態でリール１３から引き出された粘着テープ５の残量を正確に求めることができる。
【００２７】
モータ２６は、粘着テープ５の供給動作時に、モータ制御手段２８にてテンションローラ１５が原点センサ２４にて検出するまで回転駆動するように構成されている。また、このモータ２６の回転時に、エンコーダ２７のセンサ２７ｂの検出信号が回転角度検出手段２９、又は回転時間検出手段に入力されている。また、回転角度検出手段２９にて検出された回転角度信号がテープ巻回径演算手段３０に入力されてテープ巻回径が演算される。その演算結果のテープ巻回径のデータと、検出センサ３２による終端マーク３３の一端又は他端の検出信号が検知制御手段３１に入力され、テープ巻回径に基づいてテープ残量を検知し、検知したテープ残量と検出センサ３２による検出信号に基づいてテープ残量又は終端を検出して、粘着テープ貼付装置１の制御部に通知するように構成されている。
【００２８】
検知制御手段３１の動作を、図５、図６を参照して説明する。まず、入力されたテープ巻回径のデータから粘着テープ５のテープ残量を検知し（ステップ＃１）、そのテープ残量が第２の所定残量Ｒ２になったとき、テープ交換事前通知を行う（ステップ＃２）。この所定残量Ｒ２は、終端マーク３３の一端の配設位置の残量、及び／あるいは後述の第１の所定残量Ｒ１よりも大きい残量に設定されている。その後、引き続いて終端マーク３３の一端の検出を行う（ステップ＃３）。終端マーク３３の一端を検出したときには、その後第１の所定の送り時間又は送り量Ｔ１以内の間に終端マークの他端の検出を行う（ステップ＃４、ステップ＃５）。終端マーク３３の他端を検出したときには、図６（ａ）に示すように、直ちに若しくは第２の所定の送り時間又は送り量Ｔ２の後に、終端検知通知を行う。一方、第１の所定の送り時間又は送り量Ｔ１以内に、終端マーク３３の他端を検出しなかったときには、終端マーク３３の一端を検出した後第３の所定の送り時間又は送り量Ｔ３になると（ステップ＃６）、図６（ｂ）に示すように、終端検知通知を行う。また、ステップ＃３で終端マーク３３の一端を検出しないままの場合は、テープ残量が第１の所定残量Ｒ１になったとき（ステップ＃７）、図６（ｃ）に示すように、終端検知通知を行う。
【００２９】
次に、以上の構成の粘着テープ貼付装置１にて基板２の側縁部に粘着テープ５を貼り付ける工程とともに、上記リール１３におけるテープ巻回径を求める工程を説明する。図１、図２に示す状態から位置決め装置３にて基板２の側縁部を下受け台４上に位置決めした状態で、ヘッド昇降装置１２にて圧着ヘッド１１を下降動作させ、圧着ヘッド１１の下面の圧着面１１ａにて粘着テープ５を押圧して粘着テープ５を基板２に圧着させる。次に、テープ回収部９のチャック２２を閉じて粘着テープ５の支持テープを保持固定し、剥離装置８のチャック２０を開いた状態で、移動体１８をテープ供給装置７側に移動させる。この動作により、基板２に貼り付けられた粘着テープ５の粘着材層からその支持テープが剥離される。
【００３０】
次に、剥離装置８のチャック２０を閉じて粘着テープ５を保持するとともに、テープ回収装置９のチャック２２を開いて支持テープが回収手段２３に自在に吸引回収される状態にして、剥離装置８の移動体１８を図３に矢印で示すように所定のテープ供給量Ｓだけ移動させる。これによって粘着材層を設けられた粘着テープ５が、圧着ヘッド１１の圧着面１１ａと下受け台４上に位置決めされた基板２の粘着テープ５を貼り付けるべき領域の間に供給されることになる。この動作により、テープ供給装置７では、図３に示すように、テンションローラ１５が原点センサ２４にて検出されている状態から、図７に示すように、原点センサ２４と上限センサ２５ａの間の位置まで上昇する。このときの上昇移動量Ｌは、Ｓ／２である。なお、上限センサ２５ａと下限センサ２５ｂは安全のために設けられたものであり、そのため原点センサ２４と上限センサ２５ａの距離は、最大の基板２に対して粘着テープ５を貼り付ける場合のテープ供給量ＳのＳ／２よりも大きく設定されている。
【００３１】
次に、図８に示すように、モータ制御手段２８にてテンションローラ１５が原点センサ２４にて検出されるまでモータ２６を駆動し、リール１３を回転させてリール１３に巻回された粘着テープ５を供給する。その供給量は、上記テープ供給量Ｓと同じである。
【００３２】
このときのリール１３の回転がエンコーダ２７にて検出され、その回転角度θが回転角度検出手段２９にて検出される。その回転角度θはテープ巻回径演算手段３０に入力され、テープ巻回径演算手段３０において、図９に示すように、所定のテープ供給量Ｓと、検出された回転角度θから、リール１３におけるテープ巻回径ｒが演算される。すなわち、テープ供給量Ｓは、  Ｓ＝２・π・ｒ・θ／３６０  であるから、
テープ巻回径ｒは、  ｒ＝３６０・Ｓ／（２π・θ）で演算される。
【００３３】
なお、以上の説明では粘着テープ５の供給時のリール１３の回転角度θを回転角度検出手段２９にて検出するようにした例を示したが、回転角度検出手段２９に代えて、図４に括弧書きしたように、モータ２６の回転時間、すなわち送り時間ｔ（ｓｅｃ）を検出する回転時間検出手段を適用しても良い。すなわち、モータ２６の回転速度Ｎ（ｒｐｍ）が一定である場合、図１０に示すように、粘着テープ５を所定のテープ供給量Ｓだけ送るのにｔ時間かかったとすると、テープ巻回径ｒは次の演算によって求められる。すなわち、
テープ送り速度Ｖは、  Ｖ＝２・π・ｒ・Ｎ／６０  でかつ
Ｖ＝Ｓ／ｔ                であるから、
テープ巻回径ｒは、    ｒ＝（Ｓ／ｔ）・６０／（２・π・Ｎ）で演算される。
【００３４】
尚、モータ２６の回転時間は、粘着テープ５の供給に伴いテンションローラ１５の位置が原点センサ２４の原点位置より外れてから粘着テープ５の供給後にテンションローラ１５の位置が原点センサ２４にて原点位置を検出されるまでのモータ２６を回転する時間を検出して、リール１３の回転時間としても良い。
【００３５】
なお、リール１３への粘着テープ５の巻回長さが高精度に管理されている場合には、剥離装置８の移動体１８による粘着テープ５の送り動作によるテープ送り量Ｓをカウントし、リール１３の初期のテープ巻回長さより引き算してリール１３におけるテープ残量を検出しても良い。しかしながら、実際にはリール１３の粘着テープ５の巻回長さは、リール１３に記載されている数値より大きくかつばらついている場合が多く、テープ残量の検知を、リール１３の供給回転角度あるいは送り時間で求めるのが好ましい。
【００３６】
こうしてテープ巻回径演算手段３０にて演算して検出されたテープ巻回径のデータが検知制御手段３１に入力され、このテープ巻回径と検出センサ３２による検出信号とに基づいて、上記のように粘着テープ５の終端が検知されて通知される。すなわち、検知制御手段３１にて、図６（ａ）に示すように、粘着テープ５の終端部に短い終端マーク３３が設けられている場合は、その一端を検出した後第１の所定の送り時間又は送り量Ｔ１の間に他端を検知すると、直ちに若しくは第２の所定の送り時間又は送り量Ｔ２後に終端検知通知を行い、図６（ｂ）に示すように、終端まで連続する終端マーク３３が設けられている場合は、終端マークの一端を検出した後第３の所定の送り時間又は送り量Ｔ３後に終端検知通知を行い、図６（ｃ）に示すように、終端マーク３３が設けられていない場合は、検知しているテープ残量が第１の所定残量Ｒ１になった後終端検知通知を行うので、テープの終端部に設けられる終端マークの長短及び有無に関わらず終端を的確に検知して通知することができる。
【００３７】
粘着テープ貼付装置１の制御部で、終端検知通知を受けると、その後動作途中の圧着動作を完了した後、次の圧着動作を停止してリール交換モードに移行する。リール交換モードでは、リール１３を交換して新たなリール１３をテープ供給装置７にセットし、使用中の粘着テープ５の終端と新たなリール１３の粘着テープ５の始端とをテープ接続装置１７にて接続するように順次動作指令が出される。こうして、粘着テープ５を連続して供給することが可能となる。また、本実施形態では、具体的な機構とその構成については開示していないが、リール１３の交換及び粘着テープ５の終端と始端の接続を自動的に行うようにすることも可能である。
【００３８】
また、以上の実施形態の説明では、粘着テープとしてＡＣＦ（異方性導電材フィルム）を支持テープの片面に設けたＡＣＦテープの例についてのみ示したが、本発明はＡＣＦテープを用いた部品実装に限らず、非導電性フィルムを基板に貼り付けて部品を実装する場合にも同様に適用することができる。また、圧着ヘッドと粘着テープとの間や圧着ヘッドと部品との間に、保護テープを介在させて圧着することで、圧着ヘッドに粘着材が付着するのを防止するようにした粘着テープ貼付装置や圧着装置において、その保護テープの終端検知にも本発明を適用することができる。
【産業上の利用可能性】
【００３９】
本発明のテープ終端検知方法及びテープ供給装置によれば、テープの終端部に設けられる終端マークの長短及び有無に関わらず終端を的確に検知して通知することができるので、テープが無くなる前にリールを交換したり、テープの終端と新たなリールのテープの始端とを自動的に接続したりすることができ、任意のテープを使用しながらテープを供給する作業工程を途中で中断させる恐れなくテープを供給することができるので、基板に粘着テープを貼り付けて各種部品を実装する部品実装装置に好適に利用することができる。
【図面の簡単な説明】
【００４０】
【図１】本発明を適用した粘着テープ貼付装置の一実施形態の全体斜視図。
【図２】同実施形態の要部の拡大斜視図。
【図３】同実施形態のテープ供給装置の構成を示す正面図。
【図４】同テープ供給装置における粘着テープの終端を検出する構成図。
【図５】同実施形態のテープ供給装置における粘着テープの終端を検出する検知制御手段の動作フロー図。
【図６】同実施形態における粘着テープの終端検知動作の説明図。
【図７】同実施形態のテープ供給装置における動作説明図。
【図８】同実施形態のテープ供給装置における動作説明図。
【図９】同テープ供給装置におけるテープ巻回径算出方法の説明図。
【図１０】同テープ供給装置における他のテープ巻回径算出方法の説明図。
【図１１】従来例における粘着テープを示し、（ａ）は終端部の斜視図、（ｂ）は終端マークの検知動作の説明図。
【符号の説明】
【００４１】
５  粘着テープ
７  テープ供給装置
１３  リール
２４  原点センサ（原点検出手段）
２６  モータ
２７  エンコーダ
２８  モータ制御手段
２９  回転角度検出手段
３０  テープ巻回径演算手段
３１  検知制御手段
３２  検出センサ
３３  終端マーク
【図１】
0004882977.tif 000002
【図２】
0004882977.tif 000003
【図３】
0004882977.tif 000004
【図４】
0004882977.tif 000005
【図５】
0004882977.tif 000006
【図６】
0004882977.tif 000007
【図７】
0004882977.tif 000008
【図８】
0004882977.tif 000009
【図９】
0004882977.tif 000010
【図１０】
0004882977.tif 000011
【図１１】
0004882977.tif 000012